(57)【要約】搬送装置は、処理対象物に対して粘性液体の塗布及び／又は部材の配置を行う実装関連装置を含む実装システムに用いられる装置である。この搬送装置は、パレット側取付部を有し処理対象物を保持するパレットを用いる。また、この搬送装置は、パレット側取付部を装着するロボット側取付部が先端部に配設され、該パレットを装着した状態で導入位置と排出位置との間で搬送する搬送ロボットを備えている。
2018163324.tif 000002
【特許請求の範囲】
【請求項１】
処理対象物に対して粘性液体の塗布及び／又は部材の配置を行う実装関連装置を含む実装システムに用いられる搬送装置であって、
パレット側取付部を有し処理対象物を保持するパレットを用い、
前記パレット側取付部を装着するロボット側取付部が先端部に配設され、該パレットを装着した状態で導入位置と排出位置との間で搬送する搬送ロボット、
を備えた搬送装置。
【請求項２】
前記パレット側取付部は、取り外し可能に前記パレットに固定されるクランププレートであり、
前記ロボット側取付部は、前記クランププレートを把持して固定するメカニカルチャックである、請求項１に記載の搬送装置。
【請求項３】
請求項１又は２に記載の搬送装置であって、
前記導入位置へ前記処理対象物を搬入する第１搬送部と、
前記排出位置から前記処理対象物を排出する第２搬送部と、を備え、
前記搬送ロボットは、前記第１搬送部で前記パレット側取付部を装着して該パレットを移動させ、前記第２搬送部で前記パレット側取付部の装着を解除する、搬送装置。
【請求項４】
前記搬送ロボットは、垂直多関節ロボットであり、その基部の軸方向が水平方向に沿った方向に固定されている、請求項１〜３のいずれか１項に記載の搬送装置。
【請求項５】
前記垂直多関節ロボットは、前記基部の軸方向が前記処理対象物の移動方向に沿った方向に固定されている、請求項４に記載の搬送装置。
【請求項６】
複数の実装面を有する立体の処理対象物に対して粘性液体の塗布及び／又は部材の配置を行う処理ヘッドと、該処理ヘッドを所定の平面方向に移動させる移動部とを備えたＸＹロボットと、
前記処理ヘッドに対して前記処理対象物の姿勢を変更可能に前記パレットを保持し前記導入位置と処理位置と前記排出位置との間で前記パレットを移動させる請求項１〜５のいずれか１項に記載の搬送装置と、
前記ＸＹロボットと前記搬送装置とを制御する制御部と、
を備えた実装関連装置。
【発明の詳細な説明】
【技術分野】
【０００１】
本明細書で開示する発明である本開示は、搬送装置及び実装関連装置に関する。
【背景技術】
【０００２】
従来、基板を搬送する装置としては、例えば、配線基板の基板主面を吸引面に吸引保持して搬送するものが提案されている（例えば、特許文献１参照）。この装置では、高速な搬送であっても姿勢を安定させた状態で配線基板を搬送することができるとしている。
【先行技術文献】
【特許文献】
【０００３】
【特許文献１】特開２０１０−９８１８０号公報
【発明の概要】
【発明が解決しようとする課題】
【０００４】
ところで、配線基板には、電子部品が実装されることがある。近年は、このような電子部品の実装もより密度を増しており、配線基板として、複数の実装面を有する立体物を用いることがある。この特許文献１に記載の搬送装置では、配線基板を移動することは可能であるが、立体的な基板など特殊形状を有するものは想定されていなかった。基板の搬送はコンベアベルトで搬送路に沿って搬送することが一般的であるが、例えば特殊形状の基板などを汎用的に搬送することが求められていた。【０００５】
本開示は、このような課題に鑑みなされたものであり、汎用的な処理対象物の搬送を行うことができる搬送装置及び実装関連装置を提供することを主目的とする。
【課題を解決するための手段】
【０００６】
本開示は、上述の主目的を達成するために以下の手段を採った。【０００７】
本明細書で開示する搬送装置は、
処理対象物に対して粘性液体の塗布及び／又は部材の配置を行う実装関連装置を含む実装システムに用いられる搬送装置であって、
パレット側取付部を有し処理対象物を保持するパレットを用い、
前記パレット側取付部を装着するロボット側取付部が先端部に配設され、該パレットを装着した状態で導入位置と排出位置との間で搬送する搬送ロボット、
を備えたものである。【０００８】
この装置では、処理対象物を保持するパレットを用いて、導入位置と排出位置との間で搬送を行う。例えば、処理対象物が特殊な形状を有している場合などにおいても、この装置では、パレットを用いて搬送するため、平板状の基板と同等の取り扱いが可能であり、汎用的な処理対象物の搬送を行うことができる。
【図面の簡単な説明】
【０００９】
【図１】実装システム１０の概略説明図。
【図２】ロボット側取付部２７及び搬送パレット４０の構成を表す説明図。
【図３】３次元実装装置１１の構成の概略を表すブロック図。
【図４】処理対象物としての立体基板５０の一例を表す説明図。
【図５】処理対象物としての立体基板５５の一例を表す説明図。
【図６】記憶部１７に記憶された処理対象物の３次元データ１９の説明図。
【図７】塗布実装処理ルーチンの一例を示すフローチャート。
【図８】導入位置で搬送パレット４０を装着する支持搬送部２０の説明図。
【図９】処理位置で搬送パレット４０を固定する支持搬送部２０の説明図。
【図１０】排出位置で搬送パレット４０を装着解除する支持搬送部２０の説明図。
【図１１】ロボット側取付部２７Ｂ及びパレット側取付部４２Ｂの説明図。
【発明を実施するための形態】
【００１０】
本実施形態を図面を参照しながら以下に説明する。図１は、本開示の一例である実装システム１０の概略説明図である。図２は、多関節ロボット２４のロボット側取付部２７及び搬送パレット４０の構成を表す説明図である。図３は、３次元実装装置１１の構成の概略を表すブロック図である。図４、５は、処理対象物としての一例である立体基板５０，５５を表す説明図である。図６は、記憶部１７に記憶された処理対象物の３次元データ１９の説明図である。実装システム１０は、図１に示すように、３次元実装装置１１と、図示しないリフロー装置と、管理コンピュータ（ＰＣ）６０とを備えている。３次元実装装置１１は、立体の処理対象物としての立体基板５０，５５（図４、５参照）などに対して粘性液体の塗布及び部品Ｐなどの部材の配置を行う装置である。なお、粘性流体には、はんだペーストや導電性ペースト、接着剤、グリスなどが含まれる。リフロー装置は、粘性流体上に部品が配置された立体基板を加熱するリフロー処理を行う装置である。管理ＰＣ６０は、立体基板の生産を管理する装置である。この管理ＰＣ６０には、実装条件情報が記憶されている。実装条件情報には、どの部品をどの順番で立体基板へ実装するか、また、そのような立体基板の生産必要数などが定められている。この実装条件情報には、３次元実装装置１１で処理する粘性流体の塗布位置や部品の配置位置として用いられる回路パターンの形状や位置などの３次元データが含まれる。なお、本実施形態において、左右方向（Ｘ軸）、前後方向（Ｙ軸）及び上下方向（Ｚ軸）は、図１に示した通りとする。
【００１１】
処理対象物としての立体基板５０は、図４に示すように、回路パターン５２が形成された形成面５１ａや形成面５１ｂなどを複数含む形成面５１を有する立体物である。立体基板５０は、階段状の形成面５１ａ、形成面５１ｂなどを有し、それらの面には、部品Ｐが配置される実装位置（配置位置）が定められている。この立体基板５０は、水平面に載置されると形成面５１ａや形成面５１ｂが水平面に対して傾斜する形状を有している。また、この立体基板５０は、水平面に載置された状態では、形成面５１ａの実装位置と、形成面５１ｂの実装位置などの高さが異なる。立体基板５５は、図５に示すように、回路パターン５７が形成された形成面５６ａ，５６ｂ，５６ｃなどを複数含む形成面５６を有する立体物である。なお、立体基板５０，５５などは立体基板と総称し、形成面５１，５６などは形成面と総称し、回路パターン５２，５７などは回路パターンと総称する。また、回路パターン５７が形成された曲面の形成面５６では、同一曲面上であっても、高さや角度の違いにより立体基板５５の傾きを変更して塗布及び実装しなければならない場合は、複数の形成面５６として取り扱うものとする。また、処理対象物は、形成面が曲面であってもよいし平面であってもよいし、実装位置は上面側、側面側、底面側のいずれにあるものとしてもよい。
【００１２】
３次元実装装置１１は、３次元の実装面を有する立体基板５０，５５などに、粘性流体を塗布する処理及び部品Ｐを実装する処理を行う装置である。この３次元実装装置１１は、部品供給部１２、パーツカメラ１３、制御部１５、支持搬送部２０、塗布部３０及び実装部３５などを備える。
【００１３】
部品供給部１２は、実装部３５へ部品Ｐを供給するユニットである。この部品供給部１２は、例えば、部品Ｐが保持されたテープを装着したフィーダや部品Ｐが配列載置されたトレイなどを備えている。パーツカメラ１３は、実装部３５の実装ヘッド３７に採取された１以上の部品Ｐを下方から撮像するものである。パーツカメラ１３は、その上方が撮像範囲である。
【００１４】
制御部１５は、ＣＰＵ１６を中心とするマイクロプロセッサとして構成されており、各種データを記憶する記憶部１７などを備えている。この制御部１５は、部品供給部１２、パーツカメラ１３、支持搬送部２０、塗布部３０、実装部３５などと情報のやりとりを行う。この３次元実装装置１１では、制御部１５は、塗布部３０により立体基板の形成面に粘性流体を塗布させる塗布処理と、実装部３５により立体基板の形成面に部品Ｐを配置させる実装処理とを実行させる。記憶部１７には、図６に示すように、３次元データ１９を含む実装条件情報が記憶されている。３次元実装装置１１は、この実装条件情報を管理ＰＣ６０から通信で取得し、記憶部１７に記憶する。３次元データ１９は、例えばＣＡＤなどで作成された、立体基板５０，５５などの立体物の３次元構造の情報を含むデータである。この３次元データ１９には、例えば、所定の原点を基準とした３次元座標（Ｘ，Ｙ，Ｚ）や、その座標における外表面の方向（例えば法線ベクトルなど）に関する情報などが含まれている。また、３次元データ１９には、処理対象物の識別情報（ＩＤ）と、その処理対象物の実装位置ＩＤ、実装座標（Ｘ，Ｙ，Ｚ）、その実装位置が含まれる形成面の識別情報（ＩＤ）、その実装位置が含まれる形成面のＸ軸方向を中心軸とする回転による傾きＲＸとＹ軸方向を中心軸とする回転による傾きＲＹを含む位置傾き情報などが含まれている。
【００１５】
支持搬送部２０は、立体基板を搬送すると共に立体基板の傾斜角を調整して固定することができるユニットである。この支持搬送部２０は、図１に示すように、第１搬送部２１と、第２搬送部２２と、多関節ロボット２４と、駆動部２８とを備える。第１搬送部２１は、立体基板を固定した搬送パレット４０を装置入口から導入位置へ搬入するコンベアである。第１搬送部２１は、図１の前後に間隔を開けて設けられ左右方向に架け渡された１対のコンベアベルトを有している。搬送パレット４０はこのコンベアベルトにより搬送される。第２搬送部２２は、立体基板を保持した搬送パレット４０（台座）を排出位置から装置出口へ排出するコンベアである。第２搬送部２２は、第１搬送部２１と同様の構成を有している。この支持搬送部２０では、塗布ヘッド３２及び実装ヘッド３７の移動領域の下方且つ、第１搬送部２１と第２搬送部２２との間に多関節ロボット２４が配設され動作する可動空間２９が形成されている。
【００１６】
搬送パレット４０は、図１〜３に示すように、立体基板を固定する固定部４１と、アーム部２６により保持されるパレット側取付部４２とを備えている。固定部４１は、立体基板を固定するものであればよく、例えば、ばね力により立体基板を挟持するクランプ機構としてもよいし、立体基板をねじ止めする機構としてもよい。パレット側取付部４２は、図２に示すように、取り外し可能に搬送パレット４０に固定されるクランププレートとしてもよい。このクランププレートには、ロボット側取付部２７に把持される溝や凹部が形成されている。
【００１７】
多関節ロボット２４は、立体基板を固定する動作が可能な支持部である。この多関節ロボット２４は、立体基板を固定した搬送パレット４０を把持し、この搬送パレット４０を導入位置、処理位置及び排出位置へ移動させるものである。多関節ロボット２４は、複数のチルト軸を有し立体基板を複数の方向へ傾ける動作が可能であり、塗布ヘッド３２や実装ヘッド３７に対して立体基板の姿勢を変更可能に保持する。このチルト軸は、より多い方が立体基板の姿勢を変更しやすく、４軸以上であることが好ましい。この多関節ロボット２４ではチルト軸を６軸有する。この多関節ロボット２４は、基部２５と、アーム部２６と、ロボット側取付部２７とを有している。基部２５は、アーム部２６を支持した状態で装置筐体へ固定されるものである。多関節ロボット２４は、垂直多関節ロボットであり、その基部２５の軸方向が水平方向に沿った方向、例えば、立体基板の移動方向に沿った方向（Ｘ軸）に固定されている。即ち、支持搬送部２０は、横置きの垂直多関節ロボットを備えている。このように多関節ロボット２４を配設することにより、限られた可動空間２９の中で立体基板を傾けたり、第１搬送部２１や第２搬送部２２の搬送高さよりも低い位置へ立体基板を下げることが可能である。
【００１８】
アーム部２６は、第１アーム２６ａ、第２アーム２６ｂ、第３アーム２６ｃ、第４アーム２６ｄ及び第５アーム２６ｅを有している。第１アーム２６ａは、Ｘ軸を中心として軸回転可能に基部２５に配設されている。第２アーム２６ｂは、主として上下方向に揺動可能に第１アーム２６ａに軸支されている。第３アーム２６ｃは、主として左右方向に揺動可能に第２アーム２６ｂに軸支されている。第４アーム２６ｄは、第３アーム２６ｃの主軸を中心として軸回転可能に第３アーム２６ｃ配設されている。第５アーム２６ｅは、主として左右方向に揺動可能に第４アーム２６ｄに軸支されている。第５アーム２６ｅは、その主軸を中心として軸回転可能にロボット側取付部２７を配設している。ロボット側取付部２７は、アーム部２６の先端に配設され、パレット側取付部４２（クランププレート）を把持して固定するメカニカルチャックである。このロボット側取付部２７は、本体から供給される圧力により開閉動作する。駆動部２８は、例えば、第１搬送部２１や第２搬送部２２のコンベアベルトを駆動するモータやアーム部２６の各部材を軸回転や揺動させるモータなどを含む。この多関節ロボット２４は、搬送パレット４０を装着した状態で立体基板を導入位置、処理位置及び排出位置の間で搬送する。このとき、この多関節ロボット２４は、第１搬送部２１で搬送パレット４０のパレット側取付部４２を装着して搬送パレット４０を移動させ、第２搬送部２２でパレット側取付部４２を装着解除する。
【００１９】
塗布部３０は、支持搬送部２０に固定された立体基板へ粘性流体を塗布する塗布ユニットである。この塗布部３０は、ヘッド移動部３１と、塗布ヘッド３２と、塗布ノズル３３とを備えている。ヘッド移動部３１は、ガイドレールに導かれてＸＹ方向へ移動するスライダと、スライダを駆動するモータとを備えている。この塗布部３０は、処理ヘッドとしての塗布ヘッド３２をＸＹ平面方向に移動させるＸＹロボットとして構成されている。塗布ノズル３３は、塗布ヘッド３２の下面側に取り外し可能に装着されている。この塗布ノズル３３は、粘性流体を収容した収容部に圧力を加えて塗布ノズル３３の先端から粘性流体を所定量供給するノズルである。
【００２０】
実装部３５は、部品Ｐを部品供給部１２から採取し、支持搬送部２０に固定された立体基板へ配置する実装ユニットである。この実装部３５は、ヘッド移動部３６と、実装ヘッド３７と、採取部３８とを備えている。ヘッド移動部３６は、ガイドレールに導かれてＸＹ方向へ移動するスライダと、スライダを駆動するモータとを備えている。この実装部３５は、処理ヘッドとしての実装ヘッド３７をＸＹ平面方向に移動させるＸＹロボットとして構成されている。採取部３８は、実装ヘッド３７の下面側に取り外し可能に装着され、部品Ｐを採取する部材である。この採取部３８は、負圧を利用して部品Ｐを採取する吸着ノズルとしてもよいし、部品Ｐを機械的に把持するメカニカルチャックとしてもよい。この実装ヘッド３７では、１以上の採取部３８を装着可能に構成されている。なお、ヘッド移動部３６は、スライダの一部をヘッド移動部３１と共用してもよい。また、塗布ヘッド３２と実装ヘッド３７は、同様の構造を有するものとしてもよく、ツールとしての塗布ノズル３３や採取部３８を自由に取り付け可能としてもよい。
【００２１】
次に、こうして構成された本実施形態の実装システム１０の動作、特に、３次元実装装置１１が実行する塗布処理、実装処理について説明する。図７は、制御部１５のＣＰＵ１６により実行される塗布実装処理ルーチンの一例を示すフローチャートである。このルーチンは、記憶部１７に記憶され、作業者の実装開始入力に基づいて実行される。
【００２２】
このルーチンを開始すると、ＣＰＵ１６は、まず、処理対象物である立体基板の３次元データを含む実装条件情報を管理ＰＣ６０から取得し（Ｓ１００）、立体基板を固定した搬送パレット４０を第１搬送部２１により搬入させ、搬送パレット４０をアーム部２６に装着させて処理位置へ移動させる（Ｓ１１０）。図８は、導入位置で搬送パレット４０を装着する支持搬送部２０の説明図である。図９は、処理位置で搬送パレット４０を固定する支持搬送部２０の説明図である。ＣＰＵ１６は、搬送パレット４０を導入位置へ移動させるよう第１搬送部２１を制御し、搬送パレット４０の下方のパレット側取付部４２をロボット側取付部２７が把持するよう多関節ロボット２４を制御する（図８）。次に、ＣＰＵ１６は、可動空間２９の中央である処理位置へ搬送パレット４０を移動するよう多関節ロボット２４を制御する（図９）。
【００２３】
次に、ＣＰＵ１６は、粘性流体を塗布し部品Ｐを配置する処理対象の形成面を設定する（Ｓ１２０）。ＣＰＵ１６は、例えば、実装順番を含む、処理対象物の３次元データ１９に基づいて処理対象の形成面を設定することができる。次に、ＣＰＵ１６は、処理対象の形成面が水平面になるよう、必要に応じて立体基板の傾きを矯正して、固定させる（Ｓ１３０）。ＣＰＵ１６は、処理対象物の３次元データ１９に含まれる形成面の傾きに基づいてこの形成面が水平面になるよう多関節ロボット２４に処理対象物を固定させる。このとき、ＣＰＵ１６は、処理対象の形成面が所定の実装可能高さになるよう多関節ロボット２４を制御する。なお、「水平面になるよう」とは、部品Ｐを配置する位置が水平になるよう立体基板の姿勢を変更するものとし、形成面が曲面の場合はその中央部分や部品Ｐの配置密度が高い部分などが水平面になるよう立体基板の姿勢を変更するものとしてもよい。
【００２４】
次に、ＣＰＵ１６は、塗布部３０に粘性流体を塗布させ（Ｓ１４０）、実装部３５により部品Ｐを立体基板上に配置させる（Ｓ１５０）。続いて、ＣＰＵ１６は、未処理である次の形成面があるか否かを判定し（Ｓ１６０）、次の形成面があるときには、Ｓ１２０以降の処理を実行する。一方、Ｓ１６０で次の形成面がないとき、即ち全ての形成面を実装したときには、ＣＰＵ１６は、多関節ロボット２４により搬送パレット４０を排出位置へ移動させ、パレット側取付部４２の装着状態を解除させる（Ｓ１７０）。図１０は、排出位置で搬送パレット４０を装着解除する支持搬送部２０の説明図である。ＣＰＵ１６は、搬送パレット４０を処理位置から排出位置へ移動させるよう多関節ロボット２４を制御し、搬送パレット４０を第２搬送部２２の排出位置へ載置させたのち、ロボット側取付部２７を開放してパレット側取付部４２の把持を解除させる。
【００２５】
次に、ＣＰＵ１６は、装置出口へ搬送パレット４０を移動するよう第２搬送部２２を制御し、立体基板を装置外へ排出させる（Ｓ１８０）。そして、ＣＰＵ１６は、次に処理すべき立体基板があるか否かを判定し（Ｓ１９０）、次の立体基板があるときには、Ｓ１１０以降の処理を実行する。一方、次の立体基板がないとき、即ち、全ての立体基板に対して実装処理を終了したときには、そのままこのルーチンを終了する。このように、３次元実装装置１１では、搬送パレット４０を用いて立体基板の姿勢を変更しながら各形成面に対して塗布処理及び実装処理を行うのである。
【００２６】
ここで、本実施形態の構成要素と本開示の構成要素との対応関係を明らかにする。本実施形態の支持搬送部２０が搬送装置に相当し、搬送パレット４０がパレットに相当し、ロボット側取付部２７がロボット側取付部に相当し、パレット側取付部４２がパレット側取付部に相当し、多関節ロボット２４が搬送ロボットに相当し、塗布ヘッド３２及び実装ヘッド３７が処理ヘッドに相当し、ヘッド移動部３１，３６が移動部に相当し、塗布部３０及び実装部３５がＸＹロボットに相当し、制御部１５が制御部に相当する。
【００２７】
以上説明した本実施形態の支持搬送部２０では、処理対象物を保持する搬送パレット４０を用いて、導入位置と排出位置との間で搬送を行う。例えば、処理対象物が特殊な形状を有している場合などにおいても、この装置では、平板状の搬送パレット４０を用いて搬送するため、平板状の基板と同等の取り扱いが可能であり、汎用的な処理対象物の搬送を行うことができる。また、パレット側取付部４２は、取り外し可能に固定されるクランププレートであり、ロボット側取付部２７は、クランププレートを把持して固定するメカニカルチャックであるため、搬送パレット４０に簡素な構造であるクランププレートを固定することにより、処理対象物を搬送可能であり、特殊なアタッチメントなどを必要とすることなく汎用的な処理対象物の搬送を行うことができる。特に、搬送パレット４０の数が増えた場合でも、簡素な構造のクランププレートを増やせばよいので、コストをかけずに生産拡大などに対応しやすい。更に、支持搬送部２０は、導入位置へ処理対象物を搬入する第１搬送部２１と、排出位置から処理対象物を排出する第２搬送部２２とを備え、多関節ロボット２４は第１搬送部２１でパレット側取付部４２を装着してこの搬送パレット４０を移動させ、第２搬送部２２でパレット側取付部４２の装着を解除する。この装置では、第１搬送部２１と第２搬送部２２との間で搬送パレット４０を利用して処理対象物を搬送することができる。
【００２８】
また、多関節ロボット２４は垂直多関節ロボットであり、その基部２５の軸方向が水平方向に沿った方向に固定されている、即ち、垂直多関節ロボットを横置きに固定しているため、垂直多関節ロボットを縦置きに固定するものに比して高さ方向のコンパクト化を図ることができる。また、この装置では、第１搬送部２１や第２搬送部２２などの所定の搬送基準面よりも下方へ処理対象物を移動しやすいため、処理対象物の姿勢を様々な方向へ変更することができる。更に、垂直多関節ロボットは、基部２５の軸方向が処理対象物の移動方向（Ｘ軸方向）に沿った方向に固定されているため、処理対象物を移動方向に円滑に移動させることができる。
【００２９】
また、３次元実装装置１１では、立体の処理対象物を保持した搬送パレット４０を用いて処理対象物を搬送するため、処理対象物の姿勢を様々な方向に変更しやすい。このため、この装置では、立体の処理対象物に対して粘性流体の塗布処理や部材の配置処理などを様々な角度から行うことができる。
【００３０】
なお、本開示の３次元実装装置は上述した実施形態に何ら限定されることはなく、本開示の技術的範囲に属する限り種々の態様で実施し得ることはいうまでもない。
【００３１】
例えば、上述した実施形態では、パレット側取付部４２は、クランププレートであり、ロボット側取付部２７は、クランププレートを把持して固定するメカニカルチャックであるものとしたが、特にこれに限定されない。図１１は、別のロボット側取付部２７Ｂ及びパレット側取付部４２Ｂの説明図である。図１１に示すように、凸部が凹部に差し込まれて固定されるロボット側取付部２７Ｂ及びパレット側取付部４２Ｂとしてもよい。なお、図１１では、ロボット側取付部２７が凸部でパレット側取付部４２に凹部が形成されているものを例示したが、逆としてもよい。また、ロボット側取付部２７Ｂ及びパレット側取付部４２Ｂの固定は、例えば、負圧により吸着固定するものとしてもよいし、磁力により固定するものとしてもよい。
【００３２】
上述した実施形態では、多関節ロボット２４は、基部２５の軸方向が処理対象物の移動方向（Ｘ軸方向）に沿った方向に固定されているものとしたが、例えば、基部２５の軸方向がＸ軸方向に限られず水平方向に沿った方向、即ち、多関節ロボット２４を単に横置きに固定したものとしてもよい。この装置でも高さ方向の省スペース化を図ることができる。あるいは、上述した実施形態では、基部２５の軸方向が水平方向に沿ったもの、即ち多関節ロボット２４を横置きしたものとしたが、特にこれに限定されず、多関節ロボット２４を縦置きに固定したものとしてもよい。この装置でも、平板状の搬送パレット４０を用いて搬送するため、平板状の基板と同様に汎用的な処理対象物の搬送を行うことができる。また、上述した実施形態では、垂直多関節ロボットを採用したが、特にこれに限定されず、他の多関節ロボットとしてもよい。また、上述した実施形態では、可動軸として６軸有する多関節ロボット２４を備えるものとしたが、特にこれに限定されず、可動軸は任意である。なお、可動軸が４軸以上であれば、処理対象物の姿勢変更の自由度がより高くなり、好ましい。また、上述した実施形態では、多関節ロボット２４は、第１〜第５アーム２６ａ〜２６ｅを有するものとしたが、アーム部２６の可動部材数は装置サイズや処理対象物の大きさなどに合わせて、適宜選択すればよい。
【００３３】
上述した実施形態では、３次元実装装置１１は、塗布ヘッド３２及び実装ヘッド３７を備え、立体基板に対し塗布処理及び部品Ｐの配置処理を行うものとしたが、いずれか一方を省略してもよい。この装置においても、平板状の搬送パレット４０を用いて搬送するため、平板状の基板と同様に汎用的な処理対象物の搬送を行うことができる。
【００３４】
上述した実施形態では、支持搬送部２０は、第１搬送部２１及び第２搬送部２２を備えるものとしたが、これらのいずれか１以上を省略してもよい。例えば、第１搬送部２１や第２搬送部２２を装置外に配設してもよい。この装置においても、平板状の搬送パレット４０を用いて搬送するため、平板状の基板と同様に汎用的な処理対象物の搬送を行うことができる。
【００３５】
上述した実施形態では、多関節ロボット２４により搬送パレット４０を移動するものとしたが、特にこれに限定されず、ＸＹロボットにより搬送パレット４０を移動するものとしてもよい。この装置においても、平板状の搬送パレット４０を用いて搬送するため、平板状の基板と同様に汎用的な処理対象物の搬送を行うことができる。
【００３６】
ここで、本開示の搬送装置において、前記パレット側取付部は、取り外し可能に前記パレットに固定されるクランププレートであり、前記ロボット側取付部は、前記クランププレートを把持して固定するメカニカルチャックであるものとしてもよい。この装置では、パレットに簡素な構造であるクランププレートを固定することにより、処理対象物を搬送可能であるため、特殊なアタッチメントなどを必要とすることなく汎用的な処理対象物の搬送を行うことができる。
【００３７】
この搬送装置は、前記導入位置へ前記処理対象物を搬入する第１搬送部と、前記排出位置から前記処理対象物を排出する第２搬送部と、を備え、前記搬送ロボットは、前記第１搬送部で前記パレット側取付部を装着して該パレットを移動させ、前記第２搬送部で前記パレット側取付部の装着を解除するものとしてもよい。この装置では、第１搬送部と第２搬送部との間でパレットを利用して処理対象物を搬送することができる。
【００３８】
この搬送装置において、前記搬送ロボットは、垂直多関節ロボットであり、その基部の軸方向が水平方向に沿った方向に固定されているものとしてもよい。この装置では、垂直多関節ロボットを横置きに固定しているため、垂直多関節ロボットを縦置きに固定するものに比して高さ方向のコンパクト化を図ることができる。また、この装置では、所定の搬送基準面よりも下方へ処理対象物を移動しやすいため、処理対象物の姿勢を様々な方向へ変更することができる。この垂直多関節ロボットを採用した搬送装置において、前記垂直多関節ロボットは、前記基部の軸方向が前記処理対象物の移動方向に沿った方向に固定されているものとしてもよい。この装置では、処理対象物を移動方向に円滑に移動させることができる。
【００３９】
本明細書で開示する実装関連装置は、
複数の実装面を有する立体の処理対象物に対して粘性液体の塗布及び／又は部材の配置を行う処理ヘッドと、該処理ヘッドを所定の平面方向に移動させる移動部とを備えたＸＹロボットと、
前記処理ヘッドに対して前記処理対象物の姿勢を変更可能に前記パレットを保持し前記導入位置と処理位置と前記排出位置との間で前記パレットを移動させる上述したいずれかに記載の搬送装置と、
前記ＸＹロボットと前記搬送装置とを制御する制御部と、
を備えたものである。
【００４０】
この装置では、立体の処理対象物を保持したパレットを用いて処理対象物を搬送するため、処理対象物の姿勢を様々な方向に変更しやすい。このため、この装置では、立体の処理対象物に対して粘性流体の塗布処理や部材の配置処理などを様々な角度から行うことができる。ここで、「粘性流体」としては、例えば、はんだペーストや導電性ペースト、部品を固定する接着剤、グリスなどが挙げられる。また、部材としては、例えば回路基板に配設される電子部品などが挙げられる。
【産業上の利用可能性】
【００４１】
本開示の３次元実装装置は、立体物である処理対象物を採取、配置などの処理を行う装置の技術分野に利用可能である。
【符号の説明】
【００４２】
１０  実装システム、１１  ３次元実装装置、１２  部品供給部、１３  パーツカメラ、１５  制御部、１６  ＣＰＵ、１７  記憶部、１９  ３次元データ、２０  支持搬送部、２１  第１搬送部、２２  第２搬送部、２４  多関節ロボット、２５  基部、２６  アーム部、２６ａ  第１アーム、２６ｂ  第２アーム、２６ｃ  第３アーム、２６ｄ  第４アーム、２６ｅ  第５アーム、２７，２７Ｂ  ロボット側取付部、２８  駆動部、２９  可動空間、３０  塗布部、３１  ヘッド移動部、３２  塗布ヘッド、３３  塗布ノズル、３５  実装部、３６  ヘッド移動部、３７  実装ヘッド、３８  採取部、４０  搬送パレット、４１  固定部、４２，４２Ｂ  パレット側取付部、５０  立体基板、５１，５１ａ，５１ｂ  形成面、５２  回路パターン、５５  立体基板、５６，５６ａ，５６ｂ，５６ｃ  形成面、５７  回路パターン、６０  管理ＰＣ、Ｐ  部品。
【図１】
2018163324.tif 000003
【図２】
2018163324.tif 000004
【図３】
2018163324.tif 000005
【図４】
2018163324.tif 000006
【図５】
2018163324.tif 000007
【図６】
2018163324.tif 000008
【図７】
2018163324.tif 000009
【図８】
2018163324.tif 000010
【図９】
2018163324.tif 000011
【図１０】
2018163324.tif 000012
【図１１】
2018163324.tif 000013
【国際調査報告】
2018163324.tif 000014
2018163324.tif 000015
2018163324.tif 000016
2018163324.tif 000017